(57)【特許請求の範囲】
【請求項１】
ドリリングスピンドルに接続可能なチャック体（１）と、
ドリリング工具のための受入部を相互の間に形成する複数のつかみあご（５）であって、チャック体（１）に対しては回転可能に、軸方向には移動不能に案内されたネジ切りリング（８）によって、チャック軸（３）に傾斜して延びる案内受入部中をドリルチャックの開閉のために移動可能であるというつかみあご（５）と、
ネジ切りリング（８）の回転によるつかみあご（５）の移動に役立つ締付ケーシング筒（９）であって、ネジ切りリング（８）の回転の阻止とその解除とを行うストッパー装置（１１）の作動のための切り替え・調節用曲がり部（３５）を有する締付ケーシング筒（９）とを備えたドリルチャックにおいて、
切り替え・調節用曲がり部（３５）は、金属より成る締付ケーシング筒（９）における半径方向に外周面から内側へと突き出した部分である突き出し板（８１）によって形成されていることを特徴とするドリルチャック。
【請求項２】
請求項１に記載のドリルチャックにおいて、突き出し板（８１）が、締付ケーシング筒（９）に型押しされてなる少なくとも１つのポケット（８３）における側壁によって形成されていることを特徴とするドリルチャック。
【請求項３】
請求項１または２に記載のドリルチャックにおいて、ストッパー装置（１１）の作動のために、ポケット（８３）の突き出し板（８１）が複数備えられ、これらが、締付ケーシング筒（９）の周方向にて互いに対向するように配置されることを特徴とするドリルチャック。
【請求項４】
請求項２または３に記載のドリルチャックにおいて、幾つかのポケット（８３）が、締付ケーシング筒（９）の全周にわたって分布するように配置されていることを特徴とするドリルチャック。
【請求項５】
請求項１〜４のいずれかに記載のドリルチャックにおいて、切り替え・調節用曲がり部（３５）がキャップ（５１）によって覆われていることを特徴とするドリルチャック。
【請求項６】
請求項５に記載のドリルチャックにおいて、キャップ（５１）が、軸方向からチャック体（１）に支持される防塵キャップによって形成されていることを特徴とするドリルチャック。
【請求項７】
請求項１〜６のいずれかに記載のドリルチャックにおいて、ストッパー装置（１１）が、共軸のリム状をなすように配される複数のストッパー用凹部（１０）と、少なくとも１つのストッパー部材（１２）とよりなり、
ストッパー部材（１２）は、ストッパーバネの力を受けて切り替え・調節用曲がり部（３５）によってストッパー用凹部（１０）中に進入可能であり、
ストッパー部材（１２）とストッパー用凹部（１０）とが、ドリルチャックの開放に対応する回転方向おいてはネジ切りリング（８）の回転を阻止するように傾斜した歯切り斜面にて互いに当接し、他の回転方向の回転の際にはストッパー部材をストッパーバネの力に抗してストッパー用凹部（１０）から押し出すように傾斜した歯切り斜面にて互いに当接し、
締付ケーシング筒（９）に型押しされてなるポケット（８３）の一つが、バネ緊張についての切換カム部（８４）をなすことを特徴とするドリルチャック。
【請求項８】
請求項７に記載のドリルチャックにおいて、ネジ切りリング（８）が共軸の中間リング（１８）に回転不能に接続され、この中間リング（１８）がストッパーバネとストッパー部材（１２）を支持しており、
中間リング（１８）が、ストッパ（１６′，１６″）によって制限される範囲で締付ケーシング筒（９）に対して回転可能であることを特徴とするドリルチャック。
【請求項９】
請求項７または８に記載のドリルチャックにおいて、周方向に２つの係止位置を有する係止装置（１７）が備えられ、
係止バネの係止カム部によって形成される係止部（３８″）が一方の係止用凹部（１７″）中にあるときには、ストッパー部材（１２）がストッパー用凹部（１０）中に係合しており、
係止部（３８″）が他方の係止用凹部（１７″）中にあるときには、ストッパー部材（１２）の係合が外れており、
切り替え・調節用曲がり部（３５）が両方の係止用凹部（１７″）に設けられていることを特徴とするドリルチャック。
【請求項１０】
請求項９に記載のドリルチャックにおいて、一つのストッパーバネに、２つのストッパー部材（１２）が、縁の歯切り面に同時に係合して共同で応力を伝達すべく構成され、
各ストッパー部材には、切換カム部（８４）としてそれぞれ１つのポケット（８３）が割り当てられていることを特徴とするドリルチャック。
【請求項１１】
請求項１０に記載のドリルチャックにおいて、ストッパーバネは、ストッパー用凹部（１０）に対するストッパー部材（１２）の位置合わせや心合わせを可能にする遊びをもって中間リング（１８）中に配されていることを特徴とするドリルチャック。
【請求項１２】
請求項１１に記載のドリルチャックにおいて、２つのストッパー部材（１２）が一つのストッパーバネの両端に配され、
ドリルチャックの開放に対応する回転方向では前方端部に位置することとなる第1のストッパー部材（１２）が、ストッパー用凹部（１０）の側に折り曲げられ、
ストッパーバネの他方の端部に位置する第2のストッパー部材（１２）が、ドリルチャックの開放に対応する回転方向にて、前記第1のストッパー部材（１２）におけると同じ、ネジ切りリング（８）の回転を阻止するように傾斜した歯切り斜面に突き当てられて係止作用を行うためにループ状をなしていることを特徴とするドリルチャック。
【請求項１３】
請求項９〜１２のいずれかに記載のドリルチャックにおいて、係止装置（１７）が二重に備えられていることを特徴とするドリルチャック。
【請求項１４】
請求項１３に記載のドリルチャックにおいて、係止バネとストッパーバネが１つの共通の弓形スプリング（３８）によって形成されていることを特徴とするドリルチャック。
【請求項１５】
請求項１４に記載のドリルチャックにおいて、弓形スプリング（３８）に振動減衰部材（１０１）が割り当てられていることを特徴とするドリルチャック。
【請求項１６】
請求項１５に記載のドリルチャックにおいて、振動減衰部材（１０１）が、弓形スプリング（３８）のバネアーム（３６）に型押しされてなる波状構造（１００）によって形成されていることを特徴とするドリルチャック。
【請求項１７】
請求項１４〜１６のいずれかに記載のドリルチャックにおいて、弓形スプリング（３８）が複数備えられていることを特徴とするドリルチャック。
【請求項１８】
請求項７〜１３のいずれかに記載のドリルチャックにおいて、２つの係止バネと２つのストッパーバネが周方向に交互に配されていることを特徴とするドリルチャック。
【請求項１９】
請求項８〜１８のいずれかに記載のドリルチャックにおいて、締付ケーシング筒（９）が、その軸方向前方の端部に突き出し板（９４）を有しており、該突き出し板（９４）は、中間リング（１８）に割り当てられたストッパ部分（２９）と組み合わさって動作するように内側へとフランジ形成されていることを特徴とするドリルチャック。
【請求項２０】
請求項１９に記載のドリルチャックにおいて、内側フランジが形成された突き出し板（９４）がチャック軸（３）に対して傾斜して延びていることを特徴とするドリルチャック。
【請求項２１】
請求項１９または２０に記載のドリルチャックにおいて、内側フランジが形成された突き出し板（９４）が曲がった形状を有することを特徴とするドリルチャック。
【請求項２２】
請求項１９〜２１のいずれかに記載のドリルチャックにおいて、突き出し板（９４）には、軸方向に固定してチャック体（１）に配された固定リング（５２）に突き当てるための、半径方向に延びる平面が形成されていることを特徴とするドリルチャック。
【請求項２３】
請求項８〜２２のいずれかに記載のドリルチャックにおいて、締付ケーシング筒（９）には、中間リング（１８）からの軸方向の支持に役立つ、リングクランプ（９３）のリング曲がり部（９２）を受け入れるためにスリット（９１）が打ち抜かれていることを特徴とするドリルチャック。
【請求項２４】
請求項２３に記載のドリルチャックにおいて、リング曲がり部（９２）がチャック体（１）に支持されていることを特徴とするドリルチャック。
【請求項２５】
請求項１〜２４のいずれかに記載のドリルチャックにおいて、締付ケーシング筒（９）が、チャック体（１）をその後方端に至るまで覆い、該後方端においてチャック体（１）に軸方向に固定されたシール板（８５）によって固定されていることを特徴とするドリルチャック。
【請求項２６】
請求項２５に記載のドリルチャックにおいて、シール板（８５）には、締付ケーシング筒（９）に設けられた溝（８７）に係合すべく、周方向に延びていて半径方向にバネの利いた舌部（８６）が形成されていることを特徴とするドリルチャック。
【請求項２７】
請求項２５に記載のドリルチャックにおいて、シール板（８５）の縁には円板カラー部（８８）が設けられ、この円板カラー部（８８）は、半径方向にバネが利くように複数のカラー部セグメント（８９）からなり、これらカラー部セグメント（８９）は、その半径方向外側へと曲げられた端部（９０）を締付ケーシング筒（９）に形成された溝（８７）に進入可能にすることを特徴とするドリルチャック。
【請求項２８】
請求項２５に記載のドリルチャックにおいて、締付ケーシング筒（９）の軸方向後方の端部がフランジをなすように折り曲げられて、締付ケーシング筒（９）とシール板（８５）とが押し込み嵌着されていることを特徴とするドリルチャック。
【請求項２９】
請求項１〜２５のいずれかのドリルチャックまたはその他のドリルチャックのための、切り替え・調節用曲がり部を有する締付ケーシング筒（９）を製造する方法において、押し型によって、半径方向において外から内へと向けられたポケット（８３）が締付ケーシング筒（９）の周囲に型押しされて形成され、締付ケーシング筒（９）の内側へと突き出すことを特徴とする方法。
【請求項３０】
請求項２９に記載の方法において、締付ケーシング筒（９）への押し型への接近の前に、該締付ケーシング筒（９）中に、内周に当接するようになるシリンダ状ロッドが入れられることを特徴とする方法。
【請求項３１】
請求項２９に記載の方法において、ロッドは、締付ケーシング筒（９）中に、軸方向後方へと、型押しされるポケット（８３）の直前に至るまで挿入されることを特徴とする方法。
【請求項３２】
請求項３０に記載の方法において、ロッドは、挿入後に締付ケーシング筒（９）の内周に当接するまで半径方向に広げられ、締付ケーシング筒（９）に半径方向から押し付けられる押し型によりポケット（８３）を型押しした後に、締付ケーシング筒（９）からロッドを離すために半径方向において再び狭められ、
ロッドには、雌型をなすような具合に、成形されるポケット（８３）の形状を有する受入部が備えられ、該受入部中に、押し型が局部的に締付ケーシング筒（９）の外面に型押しを行うことを特徴とする方法。
【請求項３３】
請求項２９〜３２のいずれかに記載の方法において、軸方向に向いた溝（８３′）として構成されたポケット（８３）を形成するために、押し型が、軸方向から締付ケーシング筒（９）に押し付けられることを特徴とする方法。
【発明の詳細な説明】
【０００１】
【発明の属する技術分野】
本発明は、ドリリングスピンドルに接続可能なチャック体と、自身の間にドリリング工具のための受入部を形成するつかみあごであって、チャック体に対しては回転可能に、軸方向には移動不能に案内されたネジ切りリングによって、チャック軸に傾斜して延びる案内受入部中をドリルチャックの開閉のために移動可能であるというつかみあごと、ネジ切りリングの回転によるつかみあごの移動に役立つ締付ケーシング筒であって、ネジ切りリングの回転の阻止とその解除とを行うストッパー装置の作動のための、作動の切り替え・調節用（かじ取り（舵取り））曲がり部を有する締付ケーシング筒とを備えたドリルチャックに関する。
【０００２】
【従来の技術】
このようなドリルチャックは、ＥＰ ０７８５０４１ Ａ１より公知である。ＥＰ ０７８５０４１ Ａ１のドリルチャックにおいては、締付ケーシング筒が、外側の金属カバー筒と、内側の合成樹脂より作られたカバー筒とでもって二部分で形成されている。この外側カバー筒が、損傷に対して強くて抵抗力のある外面を得るのに役立つので、ドリリング作業中、または、締付ケーシング筒を回転させるためにペンチをあてがった際の損傷が大幅に回避される。他方、内側の、合成樹脂よりなるカバー筒は、切り替え・調節用曲がり部を構成するように成形されるものである。このような成形は、射出成形法により容易に行うことができ、該射出成形法でもって、複雑な形状を作ることもできる。このような公知のドリルチャックは、切り替え・調節用曲がり部を製作するにあたり、内側からの研削加工によって行うという材料、費用、及び、時間の大きな浪費を省くことが出来る。しかし、２つのケーシング筒を別個に作製して組み合わせるという点での、比較的大きな無駄を必要とする。
【０００３】
【発明が解決しようとする課題】
したがって、本発明の根底をなす課題は、締付ケーシング筒を有利なコストで作製することのできる一個の構造とし、かつ、切り替え・調節用曲がり部の構成とストッパー装置の作動のためには十分となるように、上記のようなドリルチャックを構成することである。また、本発明の根底をなすさらなる課題は、このような締付ケーシング筒の製造方法を提供することである。
【０００４】
【課題を解決するための手段】
本発明の根底を成す課題は、装置に関しては、導入部に述べたようなドリルチャックにおいて、切り替え・調節用曲がり部が、金属より成る締付ケーシング筒の半径方向に外側の側面から内側へと突き出す突き出し板によって形成されていることにより解決される。
【０００５】
本発明のドリルチャックにより得られる利点は、切り替え・調節用曲がり部をなす構造を締付ケーシング筒の内部で設ける必要がなく、該締付ケーシング筒を外側から加工して、切り替え・調節用曲がり部が内側に形成されるように締付ケーシング筒を変形することができることである。
【０００６】
特に好ましくは、突き出し板が、締付ケーシング筒に型押しされて成る少なくとも１つのポケットについての側壁部によって形成される。ポケットは、頑丈な構造物として形成されているので、締付ケーシング筒を動かす通常の応力によって変形されるものではないからである。
【０００７】
また、ポケットの突き出し板が締付ケーシング筒の周方向において互いに対向し合うように配置されて、ストッパー装置の作動のために備えられるならば、つかみあごの移動に必要な回転運動を、ストッパー装置を作動するのに用いることができるので好都合である。
【０００８】
また、締付ケーシング筒の周囲にわたってちらばって分布するように幾つかのポケットが備えられているなら好都合であるとわかった。該ポケットは、締付ケーシング筒の回転の際に、大きな回転モーメントを生じさせることができるように、該ポケット中に指先を入れるためにも用いられることができる。
【０００９】
または、切り替え・調節用曲がり部がキャップによって覆われているという可能性も存在する。この場合、合目的には、該キャップが、軸方向からチャック体に支持される防塵キャップによって形成されている。
【００１０】
ストッパー装置がより確実に作動するようにするために、以下のことが想定されている。ストッパー装置が、共軸のリム状に配列された複数のストッパー用凹部と、少なくとも１つのストッパー部材とより成っていて、該ストッパー部材は、ストッパーバネの力を受けて切り替え・調節用曲がり部によってストッパー用凹部中に進入可能である。これらストッパー部材とストッパー用凹部とが、ドリルチャックの開放に対応する回転方向おいてはネジ切りリングの回転を阻止するように傾斜した歯切り斜面（歯のフランク面）にて互いに当接し、他の回転方向の回転の際にはストッパー部材をストッパーバネの力に抗してストッパー用凹部から押し出すように傾斜した歯切り斜面にて互いに当接する。また、締付ケーシング筒中に化倒しされて成るポケットのうちの１つによって、バネの緊張について切り換える切換カム部が設けられている。ここで、好ましくは次のようである。ネジ切りリングが回転不能に、共軸の中間リングに接続されていて、該中間リングがストッパーバネとストッパー部材を支持する。また、該中間リングがストッパによって制限された範囲で締付ケーシング筒に対して回転可能である。
【００１１】
また、好ましい実施例は、周方向において２つの係止位置を有する係止装置が備えられることを特徴とする。係止バネの係止カム部によって形成される係止部が一方の係止位置にあるときには、ストッパー部材がストッパー用凹部に係合し、係止部が他方の係止位置にあるときには、ストッパー部材の係合が外れ、かつ、切り替え・調節用曲がり部が両方の係止位置に設けられる。
【００１２】
係止装置は、ドリルチャックが開放された状態において、締付ケーシング筒と中間ケーシング筒との相互の回転の連動を確実にする。また、係止装置は、ドリルチャックが閉じられた状態において、ドリリング作動中に締付ケーシング筒が自然に中間ケーシング筒に対して回転してストッパー装置を操作してしまうのを防ぐ役割をする。特に、ドリルチャックが開放された状態において、ストッパー部材が挿入された状態へのシフトを行うことなしに、ネジ切りリングが締付ケーシング筒の回転に連動されることも保証される。
【００１３】
金属より作られた締付ケーシング筒が、合成樹脂よりなる締付ケーシング筒に比べて、より大きな質量を有し、新式のドリリング機においては、安全装置として、スピンドル停止機能が実現されているので、ストッパー装置にはより強い負荷がかけられる。このストッパー装置が確実に機能するようにするためには、一つのストッパーバネに２つのストッパー部材が配され、ストッパー用凹部に同時に係合して共同で動力を伝達するように構成される。また、各ストッパー部材には、切換カム部としてそれぞれ１つのポケットが割り当てられる。
【００１４】
２つのストッパー部材が接触していても、縁の歯切面として形成されたストッパー用凹部に達するなら、該両ストッパー部材が自らの機能を発揮できるので、ストッパーバネがストッパー用凹部に対するストッパー部材のアライメント（位置合わせや心合わせ）を可能にする遊びをもって中間リング中に配されているなら合目的である。または、ストッパー部材が縁の歯切面に同時の突き当てられるように、バネそのものの弾力性を用いることも、もちろん可能である。
【００１５】
ストッパーバネの負荷能力を高いものとする観点では、次のようであるなら合目的である。２つのストッパー部材がストッパーバネの端部に配されていて、ドリルチャックの開放に対応する回転方向において前方に位置するストッパー部材がストッパー用凹部の側に折り曲げられていて、他方のストッパー部材は前方のストッパー部材に一致する側の歯切り斜面（歯のフランク面）に作用するためにループ状に形成される。
【００１６】
係止装置が２つ備えられるならば、全体としてロック装置の負荷能力の増大に役立つ。係止装置を作動するのに必要とされる回転モーメントが高められるからである。
【００１７】
ドリルチャックの構造及び組み立ては、係止バネ及びストッパーバネが共通の弓形スプリングによって形成されることにより簡易化される。ここで、振動によって、縁の歯切面へのストッパー部材の係合が損なわれたり、係止装置の応答の限界値がシフトするということを回避するために、弓形スプリングに振動減衰部材が割り当てられる。該振動減衰部材は、合目的には、弓形スプリングのバネアームに型押しされてなる波形構造により形成されている。
【００１８】
負荷能力を高めるため、また、固定システムの冗長設計の典型として、弓形スプリングが幾つか備えられる。ここで、合目的には、２つの係止バネと２つのストッパーバネが周方向において交互に配される。
【００１９】
中間ケーシング筒に対する締付ケーシング筒の回転角の制限のために、突き当てストッパが必要である。該突き当てストッパは、締付ケーシング筒の軸方向前方（ドリリング工具側）の端部に、中間ケーシング筒に割り当てられた突き当てストッパ部分と連動するための、内側にフランジ形成された突き出し板を備えることにより、特に簡単に、かつ、安いコストで実現できる。
【００２０】
中間ケーシング筒の突き当てストッパと常に確実に連動するために、内側にフランジ形成された突き出し板は、チャック軸に傾斜して延びるか、曲げ形成されているかの少なくとも一方である。該突き出し板には、軸方向に固定してチャック体に配された固定リングに突き当てるための半径方向に延びる平面が構成されている。
【００２１】
締付ケーシング筒をさらに固定するかまたは別の具合に固定することは次のように行うことができる。締付ケーシング筒中に、リングクランプのリング曲がり部を受け入れるためのスリットが打ち抜かれる。リングクランプのリング曲がり部は、中間リングからの軸方向の支持に役立つ。
【００２２】
締付ケーシング筒の改良された案内は、リング曲がり部がチャック体に支持されているときに達成される。
【００２３】
特に、ドリリングスピンドルによるドリルチャックの好ましい作動のために、ドリルチャックの後方端部にあるグリップケーシング筒が省略可能ならば、締付ケーシング筒がチャック体をその後方端部に至るまで覆い、該後方端部において、締付ケーシング筒を、軸方向にチャック体に固定されたシール板によって固定することが可能である。
【００２４】
このことは、締付ケーシング筒に設けられた溝に係合するために、シール板に周方向に延び、かつ半径方向にバネ付勢された舌部が構成されていることによって特に簡単に達成されることができる。
【００２５】
上記に代えて、次のようであっても良い。シール板の縁に円板カラー部が設けられる。この円板カラー部は、半径方向のバネ作用を得るための複数のカラー部セグメントからなる。この該カラー部セグメントは、その半径方向外側に曲げられた端部が、締付ケーシング筒に構成された溝中に進入可能である。
【００２６】
上記課題の方法に関する部分は、本発明によると、切り替え・調節用曲がり部を有するドリルチャック用締付ケーシング筒を作り出す次のような方法によって解決される。少なくとも１つの押し型によって、半径方向に外から内へと向けられた少なくとも１つのポケットが、締付ケーシング筒の周囲で型押し（エンボス）されて作られる。締付ケーシング筒全体が変形するのを回避するためには、押し型を締付ケーシング筒に近づける前に、該締付ケーシング筒の中に、内周に当接するようになるシリンダ状ロッド挿入することが想定される。ここで、シリンダ状ロッドが軸方向において後方から、ポケットが型押しされるところの直前まで締付ケーシング筒中に挿入するということもできる。しかしながら、上記シリンダ状ロッドが導き入れられた後に、半径方向に、内周に当接するまで広げられ、ポケットの型押しの後に締付ケーシング筒から離れるために半径方向に再び狭くされるのが好ましい。シリンダ状ロッドは、雌型をなす具合に、成形されるべきポケットの形状を有する受入部を有し、該受入部において、押し型が局部的に締付ケーシング筒の外周を押し込むのである。ポケットを形作る押し型を半径方向に動かすというのでなくても、軸方向に向けられた溝ないしは凹部として構成されたポケットを形成すべく、押し型が軸方向から締付ケーシング筒に押し当てられるのであっても良い。
【００２７】
【発明の実施の形態】
以下において、図面に描かれた実施例を用いて本発明が詳細に説明される。
【００２８】
図示されたドリルチャックは、不図示のドリルを受け入れるものであり、それぞれが、同様に不図示のドリリングスピンドルに接続される１つのチャック体１を有している。ドリリングスピンドルに接続するために、チャック体１がネジ切り受入部２を有する。該ネジ切り受入部２には、ドリリングスピンドル中を可動に案内される衝撃部材またはリベッターの衝撃を、工具受入部４中に保持されるドリルのシャフト端部へと直接伝えることができるように、軸方向の通路８０が前方に連続していてもよい。ドリルチャックは、ドリルについてのセンタリング、軸方向の案内、及び締め付けの少なくともいずれかを行うつかみあご５を有し、つかみあご５は、チャック軸３に共軸な工具受入部４中を、チャック軸３を中心に移動可能である。図面に示す実施例のドリルチャックは、手で締め付けができるものである。実施例のドリルチャックにおいて、つかみあご５は、チャック体１中に案内されており、つかみあご歯列６が、ネジ切りリング８の締付ネジ山に係合している。ネジ切りリング８がつかみあご５を移動させるのに役立つ。該ネジ切りリング８は、チャック体１に沿った軸方向の移動は不能に、回転は可能に案内されており、軸方向後方から玉軸受け２２を介してチャック体１により支持されている。場合によっては押圧リング２１を介してチャック体１により支持されている。
【００２９】
つかみあご５の望ましくない移動を阻止するように、ネジ切りリング８の回転位置を固定することができる。そのためには、全体を通じて１１が付されていてネジ切りリング８とチャック体１との間に構成されたストッパー装置が作用する。このストッパー装置１１は、チャック体１の側面に複数のストッパー用凹部１０が共軸のリム状に配列されたものと、ネジ切りリング８の側面にある少なくとも１つのストッパー部材１２とより成っている。ストッパー部材１２がストッパーバネの力を受けてストッパー用凹部１０に係合する。ここで、ストッパー部材１２と、これを受け入れるストッパー用凹部１０とは、次のような具合に傾斜した歯切り斜面（歯のフランク面）にて突き当てられている。まず、ストッパー部材１２とストッパー用凹部１０とが、ドリルチャックを開放する回転方向（矢印１４）へのネジ切りリング８の回転を阻止するような具合に、歯切り斜面が傾斜されている。また、手で、十分に大きな回転モーメントでもって、逆回転、すなわちドリルチャックを閉鎖する回転方向（矢印１５）へのネジ切りリング８の回転を行う際には、ストッパー部材１２をバネの力に抗してストッパー用凹部１０から押し出し、一つのストッパー用凹部１０から一つのストッパー用凹部１０へとチャック体１の周囲に沿って滑らせることが出来るような具合に歯切り斜面が傾斜されている。ドリリング作動中に生じるドリルチャックの揺れ応力を受けて、ドリルチャックは、矢印１５の回転方向には回転が阻止されたままである。このような回転阻止挙動のための歯切れ斜面の種々の傾斜は、鋸歯形の形態によって容易に得ることができる。ここで、より急勾配の歯切れ斜面が歯の前方立ち上がり面に対応し、より平べったい歯切れ斜面が歯の背面に対応している。
【００３０】
ストッパー部材１２は、ストッパー用凹部１０に対する係合状態と、係合が外れた状態との間でシフト可能である。そのために、ストッパー部材１２が軸方向に移動不能な共軸の締付ケーシング筒９に沿って、切り替え・調節用曲がり部３５によってシフト可能であり、対応して、該締付ケーシング筒９がネジ切りリング８に対して回転可能である。切り替え・調節用曲がり部３５が突き出し板８１により形成される。突き出し板８１は、金属より成る締付ケーシング筒９の半径方向外側から内部へと突出するものであり、一つの底板８２に接続している。この底板８２は、特には、締付ケーシング筒９に型押しされてなるポケット８３の側壁により形成される。ここで、締付ケーシング筒９に型押しされてなるポケット８３は、ストッパー部材１２のための切換カム部８４としての機能を果たす。そのため、ポケット８３の突き出し板８１が、ストッパー装置１１を作動させるべく、締付ケーシング筒９の周方向に互いに向きあって備えられている。
【００３１】
図８及び図９に示す実施例では、ストッパーバネには、２つのストッパー部材１２が、縁の歯切面に同時に係合して共同で動力を伝達すべく構成されている。各ストッパー部材１２には、１つのポケット８３が切換カム部８３として配されている。ここで、ストッパーバネは、ストッパー用凹部１０に対するストッパー部材１２のアライメントを可能にする遊びをもって中間リング１８中に配されている。二つのストッパー部材１２がストッパーバネの端部に配されている。ここで、ドリルチャックの開放に対応する回転方向（矢印１４）において前方に位置するストッパー部材１２がストッパー用凹部１０の側に折り曲げられていて、他方のストッパー部材１２は、前方のストッパー部材１２におけると同じ側の歯切り斜面に作用するためにループ状をなしている。二つのストッパー部材１２を、それぞれ別個のストッパーバネに配することも同様に可能である。個々のポケット８３が、いずれも、ストッパー部材１２のシフトのための切り替え・調節用曲がり部３５の個所として備えられている（図２５，２９，３０）。
【００３２】
ネジ切りリング８に対する締付ケーシング筒９の回転が、両方の回転方向（矢印１４，１５）で、係合により制限されている。そのために、ストッパ１６′，１６″が備えられている。ドリルチャックの閉鎖に対応する回転方向（矢印１５）での締付ケーシング筒９の回転により、ストッパー部材１２が、連動を外された状態から連動状態に移され、逆に、すなわち、ドリルチャックの開放に対応する回転方向（矢印１４）での締付ケーシング筒９の回転によって、連動状態から連動をはずされた状態に移される。
【００３３】
締付ケーシング筒９とネジ切りリング８との間に、全体を通して１７の符号が付された係止装置が備えられていいる。この係止装置は、周方向に２つの係止位置を有している。図面２．１と図面２．２とを比較すれば明らかなように、一方の係止位置においては、ストッパー部材１２がストッパー用凹部１０に係合した状態にあり、他方の係止位置においては係合を外された状態にある。また、係止バネの力により付勢された係止部３８″が、締付ケーシング筒９に配された係止用受入部１７″に、ネジ切りリング８の対応する側で係合している。この係止用受入部１７″は、切り替え・調節用曲がり部３５の個所により、また、締付ケーシング筒９に型押しされてなるポケット８３により形成されている。係止部３８″は、特には、係止バネの係止カム部によって形成されている。ストッパーバネと係止バネとは、図２．１、図２．２、図５、図７、図９、図２３及び図２４において、共に、一つの弓形スプリング３８によって形成されていいる。ここで、弓形スプリング３８は、周方向にネジ切りリング８に沿って延びていて、ネジ切りリング８に回転不能に接続されている。弓形スプリング３８は複数個備えられていてもよく（図２５）、このようにして係止装置１７も複数個形成することができる。これに代えて、ストッパーバネを備えたストッパー部材１２とは別の、係止装置１７の構成の可能性も存在し、このような係止装置についても、同様に複数設けることができ、また、冗長構造として設けることが出来る（図２６、図２８、図３０）。
【００３４】
ネジ切りリング８が、締付ケーシング筒９を案内するために設けられる共軸の中間リング１８を有する。この中間リング１８は、締付ケーシング筒のためのストッパ１６′，１６″のネジ切りリング側の部分と、また弓形スプリング３８とを備え、さらに、カラー部分１８′を含んでいる。カラー部分１８′は、ネジ切りリング８における締付ネジを保持する個所を回転不能に囲んでいる。ここで、ネジ切りリング８における締付ネジを保持する個所が、周方向に分けられた２つのリング半部からなる。すなわち、先ず１つの孔によって弱められた後に折られた各リング半部より成っている。これらリング半部は、チャック体１のリング溝中でまとめられて、カラー部分１８′を通じてチャック体１に、共に保持される。もちろんのことながら、ネジ切りリング８が一体として構成されていてもよいが、このことは図面で更には示されていない。
【００３５】
全ての場合において、ネジ切りリング８や中間リング１８が締付ケーシング筒９の半径方向の案内のために円形シリンダ状の外面を有し、該外面には、締付リング９についての対応する円形シリンダ状の内面が当接している。
【００３６】
図１〜図５の実施例において、締付リング９の円形シリンダ状内面は、締付ケーシング筒９に沿った軸方向の全領域にわたって半径が不変であり、後方（図面における上方、すなわちドリリングスピンドルの側）のリング端部とネジ切りリング８との間に延びている。したがって、軸方向に分けられずに構成された締付ケーシング筒９が、軸方向前方（図面における下方、すなわちドリル受け入れ側）からチャック体１を覆うように、完成後にチャック体１に取り付けられたネジ切りリング８に被せ込まれる。そして、締付ケーシング筒９は、被せ込まれた終端の位置で、軸方向に固定される。前方への軸方向移動に対する締付ケーシング筒９の固定は、中間リング１８のところで、または、チャック体１に接するネジ切りリング８より軸方向後方の領域にて、例えば、チャック体１に接続されたシール板８５のところで行うことができる。このシール板８５は、その後方のリング端部の領域において締付ケーシング筒９の半径方向の案内にも寄与することができる。詳細には、シール板８５において、周方向に延びていて半径方向にバネ付勢された舌部８６が、締付ケーシング筒９に構成された溝８７に係合するように構成されている（図１１、図１２）。
【００３７】
図１３及び図１４に示す実施例においては、シール板８５の縁に、円板カラー部８８が形成される。この円板カラー部８８は半径方向のバネ作用の達成のために複数のカラー部セグメント８９によって形成されている。これらカラー部セグメント８９の端部９０は、半径方向外側に曲げられて、溝８７中への入り込みが可能となっている。
【００３８】
図１８〜図２１には、締付ケーシング筒９の軸方向の固定について、締付ケーシング筒９に打ち抜かれたスリット９１により行うものを示している。ここで、スリット９１は、中間リング１８からの軸方向の支持に役立つ、リングクランプ９３のリング曲がり部９２を受け入れるものである。このリング曲がり部９２はチャック体１に支持されていてもよい（図２１）。図１５には、シール板８５と締付ケーシング筒９とを、押し込みにより嵌着することが示されている。押し込みによる嵌着のために、締付ケーシング筒９における軸方向後方端部がフランジをなすように折り曲げられている。
【００３９】
締付ケーシング筒９の軸方向前方には、締付ケーシング筒９に対して自由に回転可能な突き当てストッパリング５０が備えられていて、該リングはチャック体１において軸方向に移動不能に、かつ、回転可能に取付けられている。そのために、突き当てストッパリング５０は軸方向後方からチャック体１のリングショルダ５１により保持され、また、軸方向前方からバネリング（止め輪）５２により保持される。このバネリング５２はチャック体１のリング溝に嵌め込まれている。突き当てストッパリング５０は、壁に通し孔を開ける際に締付ケーシング筒９が壁に押し当てられてこれにより制動されることを防ぐ。このことから、ドリルチャックがきちっと締められて、苦労してのみ再び開かれることとなる。また、突き当てストッパリング５０は、前方からの比較的大きな軸方向の負荷から締付ケーシング筒９を保護するので、後方での締付ケーシング筒９の軸方向の支持に対しては、対応してわずかな負荷を与える。また、突き当てストッパリング５０がキャップ５１ないしは防塵キャップとして利用可能であり、このキャップは切り替え・調節用曲がり部３５を覆うものである。
【００４０】
締付ケーシング筒９とネジ切りリング８との間の回転制限のための突き当てストッパ１６′，１６″のために、実施例において全体を通して２９の符号が付された突き当てストッパ部と、該突き当て突き当てストッパ部２９を受け入れる空隙３０が備えられる。ここで、該突き当てストッパ部２９は、回転ストローク（行程）の終点に至るごとに、空隙３０を周方向から画する２つの面１６′，１６″の一方に打ち当たるようになる。実施例においては、それぞれ３つの突き当てストッパ部２９及び空隙３０が、ドリルチャックの周囲にわたって均一に分布するように配されている。
【００４１】
詳細には、突き当てストッパ部２９が中間リング１８における一区画の壁部分として構成されていてよい。この一区画の壁部分は、中間リング１８の前方端縁から軸方向に前方へと、締付ケーシング筒９の内壁面上に形成された空隙３０中に突出する。空隙は、締付ケーシング筒９にあって、曲げられて傾斜して延びる突き出し板９４の間にあっても良い。このためには、突き出し板９４の縁が内側へとフランジ状に折り曲げられる（図８〜図１０）。
【００４２】
弓形スプリング３８が、周方向に延びるバネアーム３６を形成していて、バネアーム３６の自由端にストッパー部材１２を有している。長く延ばされたバネアーム３６のバネ特性が弱すぎるものとなるの防ぐために、図２２のドリルチャックにおいては、波状構造１００からなる振動減衰部材１０１として形成されている。ストッパー部材１２の係合状態においては、バネアーム３６が、ストッパー部材１２から距離をおいたところで切り替え・調節用曲がり部３５に当接する。この当接により、バネアーム３６は、ストッパー部材１２のところで、少なくともストッパー用凹部１０へのストッパー部材の係合深さだけ、押し込まれることができる。このようにして、チャックをきちっと締める際には、ストッパー部材１２がリム状をなす複数のストッパー用凹部１０のところを滑って動くことができる。弓形スプリング３８には、周方向に互いに距離をおいて２つの突起３８′，３８″が備えられる。これらのうち、ストッパー部材側の突起３８′は、切り替え・調節用曲がり部３５に対するバネアーム３６の当接を実現するものであり、他方の突起３８″は、係止装置１７の係止部３８″ないしは係止カム部３８″を形成する。突起３８′，３８″はそれぞれ、弓形スプリング３８における外向湾曲部の形で与えられている。
【００４３】
弓形スプリング３８のバネ力によって、ストッパー部材１２がストッパー用凹部１０における係合をはずされた状態に保たれる。一方、制動状態においては、該ストッパー部材は切り替え・調節用曲がり部３５によりストッパー用凹部１０中に押し入れられねばならない。ストッパー用凹部１０中でのストッパー部材１２の制動係合がいずれの場合であっても、弓形スプリング３８のバネ突き出し板３４がバネ力を受けて環状ストッパー用凹部１０に当接するので、中間リング１８中におおける弓形スプリング３８の位置は自動的に調整される。この意味で、バネ脚部７１も好都合であることが知られた。ここで、バネ脚部７１は、弓形スプリング３８における突起３８″とは反対側の端部により形成され、同様に、リム状をなすストッパー用凹部１０にバネ力でもって当接する。チャック体１に当接する両方のバネ突き出し板３４とバネ脚部７１が更に制動作用を行い、該作用によって、チャック体１、ネジ切りリング８ないしは中間リング１８、及び、締付ケーシング筒９におけるドリリング作動時に生じる振動が減衰される。
【００４４】
実施例においては、ストッパ１６′，１６″、ストッパー装置１１、及び、係止装置１７が、軸方向において締付ネジ山の前に配されている。もちろん、これらについて、少なくともそれらのうちの幾つかを軸方向において締付ネジの後方に備えることは本発明の枠内にある。特に、本体に固定のスラスト軸受け２１は、ストッパー用凹部１０を備えるのに適している。
【００４５】
以下において、図１〜図３の実施例を用いて、本発明のドリルチャックの機能・作用の面について簡単に説明する。
【００４６】
図１及び図２．１は制動されていない状態のドリルチャックを示している。バネアーム３６が半径方向において外へと移動させられ、その結果、ストッパー部材１２はストッパー用凹部１０の外に位置する。係止用受入部１７″中に係合する係止突起３８″が中間リング１８と締付ケーシング筒９との相対回転を防ぐので、中間リング１８を覆う締付ケーシング筒９を回転させる際に、ネジ切りリング８は、ドリルチャックが開いている限りにおいて、チャック体１に対して自由に回転させることができる。ドリルチャックの工具受入部４中にドリルシャフトがあり、締付ケーシング筒９が矢印１５の方向、すなわち、チャックの閉鎖の方向に回転させられると、先ず、ネジ切りリング８の連動は、上述のように、つかみあご５が工具シャフトに当接するまで行われる。当接した際には、締付ケーシング筒９がネジ切りリング８をその後に連動させることがもはや不可能なので、締付ケーシング筒９の中間リング１８に対する位置は、係止装置１７に打ち勝って、図２．２に示された状態へと移される。
【００４７】
この状態において、締付ケーシング筒９の切り替え・調節用曲がり部３５は、バネアーム３６を半径方向内側へと押圧するのであり、これによりストッパー部材１２を押圧してストッパー用凹部１０に係合した状態にする。このようにして、チャック体１に対するネジ切りリング８の矢印１４の方向の回転が阻まれており、これによりドリルチャックの不所望の開放が阻まれている。しかしながら、ドリルチャックを、さらに、よりしっかりと締めることができる。すなわち、チャック体１に対して締付ケーシング筒９を矢印１５の方向に回転させることができる。このとき、締付ケーシング筒９が、ストッパ１６″により中間リング１８を矢印１５の方向に締め込むのであり、これにより、ネジ切りリング８をも矢印１５の方向に締め込むのである。締め付けられたチャックを緩めて開放させるためには（図２．２）、先ず締付ケーシング筒９が矢印１４の方向に回転させられる。この際、先ず、係止装置１７が締め付け前の状態にシフトされて、突き当てストッパ部２９が空隙３０中に移動され、同時に切り替え・調節用曲がり部３５がバネアーム３６を開放する。その結果、バネアーム３６は、ストッパー部材１２がストッパー用凹部１０から出されてしまうまで、バネアーム３６のバネ力に基づき半径方向外側へと移動することができる。
【００４８】
締付ケーシング筒９が更に回転すると、ストッパ１６′を介して、ネジ切りリング８が連動させられ、このことによって、ドリルチャックがゆるめられて開放される。結果において、本発明のドリルチャックの操作のためには、チャック体１に対する締付ケーシング筒９の回転作動のみが必要である。すなわち、チャック体１がドリリングスピンドルにより保持されているか、または逆に、締付ケーシング筒９が手で固定されていて、チャック体１がドリリングスピンドルによって回転させられるならば、片手による操作のみを必要とするのである。そのため、締付ケーシング筒９が、軸方向後方のチャック端部に至るまで、実際上ドリルチャックの全長にわたって軸方向に延びているものであって、この上で、外からアクセス可能なチャックハンドルを一つだけ設けておくというのであっても良い。
【００４９】
そうであっても、チャック体１をドリリングスピンドルから独立しても操作できることが望まれるなら、シール板８５をチャック体１のための保持リング４０の形に構成するのが好ましい。このとき、該保持リング４０は回転不能にチャック体１に接続されていなければならない。
【００５０】
簡単で、かつ、コストの安い方法で、ストッパー部材１２の移動に必要な切り替え・調節用曲がり部３５を締付ケーシング筒９中に構成することを可能にするためには、該切り替え・調節用曲がり部３５が、半径方向外側から締付ケーシング筒９に対して押し当てられる少なくとも１つの押し型によって作られる。ここで、突き出し板８１が、締付ケーシング筒９の半径方向外側の面から内側へと突き出して、底板８２によって接続されており、４つの突き出し板８１を有する少なくとも１つのポケット１７が構成されている。
【００５１】
締付ケーシング筒９の製造の際に、この筒形状を保護するために、中空の締付ケーシング筒９中に、締付ケーシング筒９の内周に当接するようになるシリンダ状ロッドが入れられてから、押し型が、半径方向に外から内へと締付ケーシング筒９に押し当てられて、ポケット８３を成形する。本来のケーシング筒の形状をなるべく充分に保護するためには、ロッドが、軸方向に、型押しされてポケット８３が作られる個所をまで入れられ、それから初めて半径方向に内周に当接するまで広げられる。ロッド中に受入部が構成されていて、この受入部は、成形されるべきポケット８３の形状を有していて、雌型の役割をする。この雌型中で押し型が締付ケーシング筒９の材料に成形を加える。ポケット８３を形成した後に、ロッドは径方向に縮められて、締付ケーシング筒９から取り離されることができる。
【００５２】
ポケット８３における周方向に位置する突き出し板８１が、移動のために使われるのであるから、軸方向に配された溝ないしは凹部８３′として構成されたポケット８３を形成するような具合に、押し型が軸方向に締付ケーシング筒９に対して押し当てられるのであっても良い。
【００５３】
【発明の効果】
切り替え・調節用曲がり部をなす構造を締付ケーシング筒の内部で設ける必要がなく、該締付ケーシング筒を外側から加工して、切り替え・調節用曲がり部が内側に形成されるように締付ケーシング筒を変形することができる。
【図面の簡単な説明】
【図１】本発明のドリルチャックについて、つかみあごによる締め付け直径が最小であり、ストッパーが利いていない状態で示す、軸方向の半断面半側面図である。左側に軸方向断面、右側に側面図を示す。
【図２】図１のＩＩ−ＩＩ線に沿った断面図である。部分図２．１はストッパーが作動してないチャック状態を示し、部分図２．２はストッパーが作動したチャック状態を示す。
【図３】図１のＩＩＩ−ＩＩＩ線に沿った断面図である。
【図４】ポケットが防塵キャップで覆われた場合の、図１に対応する、軸方向の半断面半側面図である。
【図５】図４のＶ−Ｖ線に沿った断面図である。
【図６】ストッパー装置がネジ切りリングの軸方向後方に配されたドリルチャックを示す、図１に対応する軸方向の半断面半側面図である。
【図７】図６のＶＩＩ−ＶＩＩ線に沿った断面図である。
【図８】２つのストッパー部材と、フランジをなすように縁が曲げられた締付ケーシング筒とを備えた実施例を示す、図１に対応する軸方向の半断面半側面図である。
【図９】図８のＩＸ−ＩＸ線に沿った断面図である。
【図１０】締付ケーシング筒がチャック体の軸方向後方端部にまで達している実施例を示す、図１に対応する軸方向の半断面半側面図である。
【図１１】シール板によってケーシング筒を軸方向に固定する実施例を示す、図１に対応する軸方向の半断面半側面図である。
【図１２】図１１のＸＩＩ−ＸＩＩ線に沿った断面図である。
【図１３】図１１のドリルチャックについての変形例を示す半断面半側面図である。
【図１４】図１３のＸＩＶ−ＸＩＶ線に沿った断面図である。
【図１５】締付ケーシング筒がシール板に向かってフランジをなすように縁を曲げられた場合の、図１１のドリルチャックについての他の変形例を示す半断面半側面図である。
【図１６】締付ケーシング筒の軸方向の固定をチャック体の軸方向後方の端部にて行う、さらに他の変形例を示す半断面半側面図である。
【図１７】図１６のＸＶＩＩ−ＸＶＩＩ線に沿った断面図である。
【図１８】中間リングに支持された固定クランプを備えた実施例を示す、図１に対応する半断面半側面図である。
【図１９】図１８のＸＩＸ−ＸＩＸ線に沿った断面図である。
【図２０】図１８のドリルチャックの変形例を示す半断面半側面図である。。
【図２１】図２０のＸＸＩ−ＸＸＩ線に沿った断面図である。
【図２２】ストッパーバネの振動減衰作用を向上させた実施例を示す、図２．２に対応する断面図である。
【図２３】２つの切換バンプを有する一つのストッパーバネが備えられた変形例についての図２．２に対応する断面図である。
【図２４】２つの係止部と２つの切換バンプを有する一つのストッパーバネが備えられた場合の、図２３に対応する断面図である。
【図２５】２つのストッパーバネが備えられた、図２３に対応する断面図である。
【図２６】ストッパー部材を有する一つのバネと、係止部を有する一つのバネとが備えられた場合の、図２３に対応する断面図である。
【図２７】図２６の変形例を示す断面図である。
【図２８】３つのバネが備えられた、図２６の変形例を示す断面図である。
【図２９】図２８の変形例を示す断面図である。
【図３０】４つのバネが備えられた場合の、図２８の変形例を示す断面図である。
【符号の説明】
１  チャック体
２  ドリリングスピンドルを受け入れるためのネジを切った受入部
３  チャック軸
４  工具受入部
５  つかみあご
６  つかみあご歯列
８  ネジを切ったリング
９  締付ケーシング筒
１０  ストッパー用凹部
１１  ストッパー装置
１２  ストッパー部材
【図１】
0004681716.tif 000002
【図２】
0004681716.tif 000003
【図３】
0004681716.tif 000004
【図４】
0004681716.tif 000005
【図５】
0004681716.tif 000006
【図６】
0004681716.tif 000007
【図７】
0004681716.tif 000008
【図８】
0004681716.tif 000009
【図９】
0004681716.tif 000010
【図１０】
0004681716.tif 000011
【図１１】
0004681716.tif 000012
【図１２】
0004681716.tif 000013
【図１３】
0004681716.tif 000014
【図１４】
0004681716.tif 000015
【図１５】
0004681716.tif 000016
【図１６】
0004681716.tif 000017
【図１７】
0004681716.tif 000018
【図１８】
0004681716.tif 000019
【図１９】
0004681716.tif 000020
【図２０】
0004681716.tif 000021
【図２１】
0004681716.tif 000022
【図２２】
0004681716.tif 000023
【図２３】
0004681716.tif 000024
【図２４】
0004681716.tif 000025
【図２５】
0004681716.tif 000026
【図２６】
0004681716.tif 000027
【図２７】
0004681716.tif 000028
【図２８】
0004681716.tif 000029
【図２９】
0004681716.tif 000030
【図３０】
0004681716.tif 000031